(57)【要約】【課題】縫い目を有する革製の手帳の外観と風合いを再現する。【解決手段】紙製の用紙部位１１の表裏を覆うと共に用紙部位１１等を綴じて収容する表紙１２及び裏表紙１３が備えられることで手帳用外装品１４が形成され、手帳用外装品１４として、糸目部４を連続的に備えた樹脂部品が適用される。【選択図】図３
2013237195.tif 000002
【特許請求の範囲】
【請求項１】
表面に糸目を有する糸目部が連続的に備えられることで縫い目部位が形成され、縫い目部位に対して基材部位が成形されることで、基材部位に縫い目部位が存在する成形品部材が形成され、成形品部材が文具品の部材とされる
ことを特徴とする文具品用の樹脂成形品。
【請求項２】
請求項１に記載の文具品用の樹脂成形品において、
縫い目部位が第１樹脂により形成され、基材部位が第２樹脂により形成されている
ことを特徴とする文具品用の樹脂成形品。
【請求項３】
請求項１もしくは請求項２に記載の文具品用の樹脂成形品において、
文具品の部材は、手帳の表裏を覆うことで表紙及び裏表紙となる手帳用外装品である
ことを特徴とする文具品用の樹脂成形品。
【請求項４】
請求項１もしくは請求項２に記載の文具品用の樹脂成形品において、
文具品の部材は、用紙の綴りを覆う用紙カバーである
ことを特徴とする文具品用の樹脂成形品。
【請求項５】
請求項１もしくは請求項２に記載の文具品用の樹脂成形品において、
文具品の部材は、表紙、背表紙、裏表紙を有し、紙類を綴じるため、もしくは、透明収納部材が綴じられたファイルである
ことを特徴とする文具品用の樹脂成形品。
【請求項６】
請求項１もしくは請求項２に記載の文具品用の樹脂成形品において、
文具品の部材は、写真類を収容するパネル部材である
ことを特徴とする文具品用の樹脂成形品。
【請求項７】
表面に糸目を有する糸目部が連続的に備えられることで縫い目部位が形成され、縫い目部位に対して基材部位が成形されることで、基材部位に縫い目部位が存在する成形品部材が形成され、成形品部材が旅行用小物類品の部材とされる
ことを特徴とする旅行用小物類品用の樹脂成形品。
【請求項８】
表面に糸目を有する糸目部が連続的に備えられることで縫い目部位が形成され、縫い目部位に対して基材部位が成形されることで、基材部位に縫い目部位が存在する成形品部材が形成され、成形品部材が電子応用機械用品の部材とされる
ことを特徴とする電子応用機械用品の樹脂成形品。
【発明の詳細な説明】
【技術分野】
【０００１】
本発明は、樹脂基材に対し異なる樹脂により縫い目の部位が形成された文具品用の樹脂成形品に関する。
【０００２】
本発明は、樹脂基材に対し異なる樹脂により縫い目の部位が形成された旅行用小物類品用の樹脂成形品に関する。
【０００３】
本発明は、樹脂基材に対し異なる樹脂により縫い目の部位が形成された電子応用機械用品の樹脂成形品に関する。
【背景技術】
【０００４】
手帳の表紙を覆うカバー類や、手帳の表紙として、革製の部材が適用され、手帳の見栄えの向上や感触、質感等の向上を図ることで、手帳としての機能以外の付加価値が高められている。一方、書類等を綴じるファイル等の文具品は、持ち運びや、収納の利便性等、事務用品としての機能を高めることは種々実施されている。
【０００５】
近年、事務用品としての文具品であっても、体裁を良くすることや、家具等と調和させることが望まれてきている。ファイル等の文具品の見栄えを向上させるため、革製のファイルカバーが提案されている（例えば、特許文献１参照）。革製のファイルカバーを用いることで、外観に優れたファイルとなり、家具等と調和させることが可能になる。
【０００６】
また、ネームタグやポーチ等の旅行用小物類品や、スマートフォンや電子辞書等の本体やケース類である電子応用機械用品に関しても、見栄えの向上や感触、質感等の向上を図ることで、用品としての機能以外の付加価値を高めることが求められている。このため、革製の旅行用小物類品や、電子応用機械用品を用いることで、外観に優れた旅行用小物類品や、電子応用機械用品となる。
【０００７】
革製の文具品、旅行用小物類品、電子応用機械用品を用いることにより、見栄えや風合いを格段に向上させることができる一方、革は高価であるため、文具品、旅行用小物類品、電子応用機械用品の価格が日常品として使用する価格を越えてしまう虞があった。また、文具品、旅行用小物類品、電子応用機械用品は日常の使用頻度が高いため、革製品を用いた場合、革の劣化が激しく、見栄えや風合いを維持するためには、日常の手入れを怠らないようにする必要があった。
【０００８】
このため、文具品、旅行用小物類品、電子応用機械用品として革製品を用いた場合、コストが嵩むと共に、手入れの手間が増大していた。日常の使用頻度が高い文具品、旅行用小物類品、電子応用機械用品については、革製品を用いても、製品としての価値に対してコストや日常の手入れの手間が増大し、文具品、旅行用小物類品、電子応用機械用品として革製品は広く普及していないのが現状であった。
【先行技術文献】
【特許文献】
【０００９】
【特許文献１】実用新案登録第３１０７００２号公報
【発明の概要】
【発明が解決しようとする課題】
【００１０】
本発明は上記状況に鑑みてなされたもので、樹脂基材と縫い目部位が独立して形成された樹脂部品を二色成形により成形し、縫い目を有する革を模擬した状態の文具品用の樹脂成形品を提供することを目的とする。
【００１１】
また、本発明は上記状況に鑑みてなされたもので、樹脂基材と縫い目部位が独立して形成された樹脂部品を二色成形により成形し、縫い目を有する革を模擬した状態の旅行用小物類品用の樹脂成形品を提供することを目的とする。
【００１２】
また、本発明は上記状況に鑑みてなされたもので、樹脂基材と縫い目部位が独立して形成された樹脂部品を二色成形により成形し、縫い目を有する革を模擬した状態の電子応用機械用品の樹脂成形品を提供することを目的とする。
【課題を解決するための手段】
【００１３】
樹脂成形品を用いた場合、革の風合いまでも模擬できる金型を作製するには高度の技術が必要であるが、本件出願人の金型製造技術を駆使することで、革の風合いを模擬できる金型を作製することが可能になった。また、縫い目に関しては、本件出願人が数多く手がけている、基材と図形部や文字表示部とを種類の異なる樹脂で成形する、所謂、二色成形の技術を適用することで、実際の糸目を樹脂により再現することが可能になった。
【００１４】
上記目的を達成するための請求項１に係る本発明の文具品用の樹脂成形品は、表面に糸目を有する糸目部が連続的に備えられることで縫い目部位が形成され、縫い目部位に対して基材部位が成形されることで、基材部位に縫い目部位が存在する成形品部材が形成され、成形品部材が文具品の部材とされることを特徴とする。
【００１５】
請求項１に係る本発明では、縫い目部位に対して基材部位が成形されることで、縫い目部位と基材部位を独立した樹脂で成形することができ、縫い目を有する革を模擬した状態の文具品用の樹脂成形品とすることができる。
【００１６】
そして、請求項２に係る本発明の文具品用の樹脂成形品は、請求項１に記載の文具品用の樹脂成形品において、縫い目部位が第１樹脂により形成され、基材部位が第２樹脂により形成されていることを特徴とする。
【００１７】
請求項２に係る本発明では、縫い目部位と基材部位を異なる樹脂（材質や色等）で成形することができ、異色の糸目を備えたり、異色で風合いの異なる糸目を備えたり等の樹脂成形品を得ることができる。
【００１８】
また、請求項３に係る本発明の文具品用の樹脂成形品は、請求項１もしくは請求項２に記載の文具品用の樹脂成形品において、文具品の部材は、手帳の表裏を覆うことで表紙及び裏表紙となる手帳用外装品であることを特徴とする。
【００１９】
また、請求項４に係る本発明の文具品用の樹脂成形品は、請求項１もしくは請求項２に記載の文具品用の樹脂成形品において、文具品の部材は、用紙の綴りを覆う用紙カバーであることを特徴とする。
【００２０】
また、請求項５に係る本発明の文具品用の樹脂成形品は、請求項１もしくは請求項２に記載の文具品用の樹脂成形品において、文具品の部材は、表紙、背表紙、裏表紙を有し、紙類を綴じるため、もしくは、透明収納部材が綴じられたファイルであることを特徴とする。
【００２１】
また、請求項６に係る本発明の文具品用の樹脂成形品は、請求項１もしくは請求項２に記載の文具品用の樹脂成形品において、文具品の部材は、写真類を収容するパネル部材であることを特徴とする。パネル部材をテーブル等に立てる構造とすることで、フォトスタンドとして用いることができる。
【００２２】
文具品としては、バインダー、クリアブック、ブックエンド、ペントレー、ペンケース、クリップボード、ノートホルダ、書籍の表裏を覆う書籍カバー等に適用することができる。また、パンチやホッチキス等の事務用品の把持部等に適用することができる。また、しおりやパスケースに適用することもできる。
【００２３】
上記目的を達成するための請求項７に係る本発明の旅行用小物類品用の樹脂成形品は、表面に糸目を有する糸目部が連続的に備えられることで縫い目部位が形成され、縫い目部位に対して基材部位が成形されることで、基材部位に縫い目部位が存在する成形品部材が形成され、成形品部材が旅行用小物類品の部材とされることを特徴とする。
【００２４】
請求項７に係る本発明では、縫い目部位に対して基材部位が成形されることで、縫い目部位と基材部位を独立した樹脂で成形することができ、縫い目を有する革を模擬した状態の旅行用小物類品用の樹脂成形品とすることができる。
【００２５】
旅行用小物類品としては、旅券を収容する収容部を備え二つ折りのカバーを有するパスポートケースに適用することができる。パスポートケースには、チケットや小さな書類等を旅券と並べて収容する収容部が備えられているものもある。
【００２６】
また、旅行用小物類品としては、筒状部材で軸方向にスリットが形成され、鞄類の把手（持ち手）にスリットを開いて嵌めることで、持ち手を纏めたり、すべり止めの役割を持たせたりし、荷物の持ちやすさや荷物の持ち運びの確実性を向上させるためのグリップに適用することができる。
【００２７】
また、旅行用小物類品としては、名札等を納める透明の収容部及び荷物に取り付けられる固定部が備えられ、固定部を介して名札等を荷物に取り付ける荷物用のタグに適用することができる。
【００２８】
また、旅行用小物類品としては、旅行用に携行する小物類が収容される収容袋を備え、ファスナー等で開口部の開閉が可能で、持ち手が取り付けられたポーチに適用することができる。
【００２９】
その他、旅行用小物類品としては、旅行に携行する装飾品や遊戯具、飲食品、薬類、チケット等を収容する各種ケースや袋類に適用することができる。
【００３０】
上記目的を達成するための請求項８に係る本発明の電子応用機械用品の樹脂成形品は、表面に糸目を有する糸目部が連続的に備えられることで縫い目部位が形成され、縫い目部位に対して基材部位が成形されることで、基材部位に縫い目部位が存在する成形品部材が形成され、成形品部材が電子応用機械用品の部材とされることを特徴とする。
【００３１】
請求項８に係る本発明では、縫い目部位に対して基材部位が成形されることで、縫い目部位と基材部位を独立した樹脂で成形することができ、縫い目を有する革を模擬した状態の電子応用機械用品の樹脂成形品とすることができる。
【００３２】
電子応用機械としては、インターネットと連動し、パソコンの機能をベースとして作られた多機能携帯電話・ＰＨＳであるスマートフォンを適用することが可能である。電子応用機械用品としては、スマートフォン用のカバーやスマートフォンの本体に適用することができる。また、タブレット端末やハードディスクのカバーや本体に適用することができる。
【００３３】
また、電子応用機械としては、物理的な記録媒体やネットワーク上に保存されている辞書・辞典の内容をコンピュータによって検索・表示する機器であり、例えば、ディスプレイが開閉自在に備えられ、ディスプレイの対向面にテンキーが備えられた携帯用の電子辞書を適用することが可能である。電子応用機械用品としては、電子辞書のカバーや、電子辞書の本体に適用することができる。また、電子メモ帳や電子名詞ホルダーのカバーや本体に適用することができる。
【００３４】
また、電子応用機械としては、コンパクトデジタルカメラや一眼レフのデジタルカメラ（デジタルカメラ）を適用することが可能である。電子応用機械用品としては、デジタルカメラのカバーや、デジタルカメラの本体に適用することができる。
【００３５】
また、電子応用機械としては、表側に操作ボタンが備えられると共に、裏側にボールが備えられ、机上等で裏側のボールを転動させて移動させることで、移動方向、移動速度などの情報をコンピュータに入力させるマウスを適用することが可能である。電子応用機械用品としては、マウスのカバーや、マウスの本体に適用することができる。
【００３６】
また、旅行用小物類品用の樹脂成形品、及び、電子応用機械用品の樹脂成形品として、縫い目部位を第１樹脂で形成し、第１樹脂と色や材質などが異なる第２樹脂により基材部位を形成することができる。
【発明の効果】
【００３７】
本発明の文具品用の樹脂成形品は、樹脂基材と縫い目部位が独立して形成された樹脂部品を二色成形により成形し、縫い目を有する革を模擬した状態の文具品用の樹脂成形品とすることが可能になる。
【００３８】
本発明の旅行用小物類品用の樹脂成形品は、樹脂基材と縫い目部位が独立して形成された樹脂部品を二色成形により成形し、縫い目を有する革を模擬した状態の旅行用小物類品用の樹脂成形品とすることが可能になる。
【００３９】
本発明の電子応用機械用品の樹脂成形品は、樹脂基材と縫い目部位が独立して形成された樹脂部品を二色成形により成形し、縫い目を有する革を模擬した状態の電子応用機械用品の樹脂成形品とすることが可能になる。
【図面の簡単な説明】
【００４０】
【図１】本発明の一実施例に係る文具品用の樹脂成形品の外観図である。
【図２】本発明の他の実施例に係る文具品用の樹脂成形品の外観図である。
【図３】樹脂成形品を手帳用外装品として適用した場合の外観図である。
【図４】樹脂成形品をノートカバーとして適用した場合の外観図である。
【図５】樹脂成形品をファイルとして適用した場合の外観図である。
【図６】樹脂成形品をフォトスタンドとして適用した場合の外観図である。
【発明を実施するための形態】
【００４１】
図１、図２に基づいて樹脂成形品の一例を説明する。
【００４２】
図１、図２（ａ）には文具品の部材に適用される樹脂成形品の外観状況、図１、図２（ｂ）には文具品の部材に適用される樹脂成形品の分解斜視状況を示してあり、図１は表面に糸目が配された樹脂成形品、図２は表面に糸目が配されると共にインステッチ（縫製糸）が形成された樹脂成形品である。
【００４３】
図１、図２に示すように、樹脂部品１は革を模擬した状態の樹脂成形品で、樹脂部品１は、基になる基材部位２に対し異なる色の縫い目部位３が存在する樹脂成形品である。そして、縫い目部位３には、糸目部４が連続して多数形成され、糸目部４の表面には糸目５が形成されている。
【００４４】
糸目部４に接触する部位の基材部位２には沈み面８が設けられている。即ち、糸目部４の周囲の基材部位２の表面は、沈み面８により他の部位に比べて凹んだ状態にされ、革製のシートが縫い合わされ、縫い目の部位が糸により沈み込んだ状態になっている。
【００４５】
このため、表面に糸目５が形成された縫い目部位３（糸目部４）を有する樹脂部品を二色成形により成形することができる。従って、基材部位２の部分の色合いと縫い目の糸目部４の色合いを変えた状態で、革を模擬した樹脂部品１を得ることができる。
【００４６】
図２に示すように、縫い目部位３にインステッチ６を形成することも可能である。インステッチ６を形成することにより、立体形状の革を模擬した樹脂部品１を得ることができる。
【００４７】
樹脂部品１を成形する場合、縫い目部位３の成形（一次成形）と縫い目部位３が金型面とされた状態での基材部位２の成形（二次成形）とを行う。つまり、第１樹脂により縫い目部位３が成形され、その後、縫い目部位３を金型面の一部として第２樹脂により基材部位２が成形される（二色成形）。
【００４８】
第１樹脂と第２樹脂を用いて二色成形を実施することで、基材部位２の部分の色合いと糸目部４の色合いを変えた状態で、縫い目を有する革を模擬した樹脂部品１を得ることができる。
【００４９】
図３から図６に基づいて樹脂部品１（図１、図２の何れか、もしくは、部位によって併用）が適用される文具品の例を説明する。
【００５０】
図３には手帳用の外装品に適用した例を示してある。
【００５１】
図３に示すように、紙製の帳面部位１１（ホルダー等）の表裏を覆うと共に帳面部位１１等を綴じて収容する表紙１２及び裏表紙１３が備えられることで手帳用外装品１４が形成されている。手帳用外装品１４として、図１もしくは図２に示した樹脂部品１が適用される。例えば、表紙１２及び裏表紙１３の任意の箇所（周囲等）に糸目部４が連続して配されている。帳面部位１１の大きさ等により、樹脂の種類、色を選択することで、縫い目を有する革製の手帳の外観と風合いを再現することができる。
【００５２】
縫い目を有する革を模擬した樹脂部品で手帳用外装品１４を構成したので、低コストで革製の手帳の外観と風合いを得ることができ、しかも、汚れ等を簡単に落とすことができ、コストや日常の手入れの手間が増大することがない。この結果、見栄えと実用性を両立した手帳を得ることが可能になる。
【００５３】
図４には用紙の綴りを覆う用紙カバーとしてノートカバーに適用した例を示してある。
【００５４】
図４に示すように、例えば、記載内容がスマートフォンで撮影されるようになっている用紙（ノート）で、所定範囲内の記載内容が撮影されると内容がそのままの状態で電子化して管理するためのノートが知られている。このようなノートを覆い、装飾・保護や携行品用として用いられるノートカバー１５に適用することができる。
【００５５】
ノートカバー１５は、用紙（ノート）の綴りを覆う一対の外装カバー１６が折り曲げ自在（開閉自在）に形成されている。外装カバー１６として、図１もしくは図２に示した樹脂部品１が適用される。例えば、外装カバー１６の面の周囲部位及び周囲部位の対角線の部位に糸目部４が連続して配されている。樹脂の種類、色を選択することで、縫い目を有する革製のノートカバーの外観と風合いを再現することができる。
【００５６】
縫い目を有する革を模擬した樹脂部品でノートカバー１５を構成したので、低コストで革製のノートカバーの外観と風合いを得ることができ、しかも、汚れ等を簡単に落とすことができ、コストや日常の手入れの手間が増大することがない。この結果、見栄えと実用性を両立したノートカバーを得ることが可能になる。
【００５７】
図５には用紙等を綴じるファイルに適用した例を示してある。
【００５８】
図５に示すように、ファイル２１として、内側に用紙等を綴じるための金具が設けられた背表紙２２が備えられ、背表紙２２には表紙２３及び裏表紙２４が一体的に形成されている。背表紙２２、表紙２３、裏表紙２４として、図１もしくは図２に示した樹脂部品１が適用される。例えば、背表紙２２の周囲部位、タイトルホルダーの周囲部位に糸目部４が連続して配されている。また、表紙２３及び裏表紙２４の周囲部位及び周囲部位を分割する状態の部位に糸目部４が連続して配されている。樹脂の種類、色を選択することで、縫い目を有する革製のファイルの外観と風合いを再現することができる。
【００５９】
縫い目を有する革を模擬した樹脂部品でファイル２１を構成したので、低コストで革製のファイルの外観と風合いを得ることができ、外観に優れたファイル２１となり、家具等と調和させることが可能になる。この結果、見栄えと実用性を両立したファイル２１を得ることが可能になる。
【００６０】
図６には写真や絵等を飾るフォトスタンドに適用した例を示してある。つまり、写真や絵等を収容するパネル部材をテーブル等に立てる構造としたフォトスタントに適用した例を示してある。
【００６１】
図６に示すように、フォトスタンド２６として、写真や絵等が収容される部位の周囲に額縁部２７が備えられ、額縁部２７として、図１もしくは図２に示した樹脂部品１が適用される。例えば、額縁部２７の前面側の面の周縁部位には糸目部４が連続して二重に配されている。樹脂の種類、色を選択することで、縫い目を有する革製のフォトスタンドの外観と風合いを再現することができる。
【００６２】
縫い目を有する革を模擬した樹脂部品でフォトスタンド２６を構成したので、低コストで革製のフォトスタンドの外観と風合いを得ることができ、外観に優れたフォトスタンド２６となり、家具等と調和させることが可能になる。この結果、見栄えと実用性を両立したフォトスタンド２６を得ることが可能になる。
【００６３】
尚、文具品として、上述した手帳用外装品１４、ノートカバー１５、ファイル２１、フォトスタンド２６の他に、ファイル、クリアブック、ブックエンド、ペントレー、ペンケース、クリップボード、ノートホルダ、書籍カバー等、あらゆる文具品に適用することができる。また、パンチやホッチキス等の事務用品の把持部等に適用することができる。また、しおりやパスケースに適用することもできる。
【００６４】
更に、文具品として、執務室の大きな机の上や机の周囲における書簡用品（文具類）で、家具や室内装飾に調和する書簡用品として使用することが可能である。
【００６５】
上述した文具品用の樹脂部品１（樹脂成形品）は、樹脂基材と縫い目部位が独立して形成された樹脂部品を二色成形により成形し、縫い目を有する革を模擬した状態の文具品用の樹脂成形品とすることが可能になる。この結果、見栄えと実用性を両立した文具品用の樹脂部品を得ることが可能になる。
【００６６】
樹脂部品１（図１、図２の何れか、もしくは、部位によって併用）が適用される旅行用小物類品の例を説明する。
【００６７】
旅行用小物類品として、旅券を収容する収容部を備え二つ折りのカバーを有するパスポートケースに適用される。パスポートケースには、チケットや小さな書類等を旅券と並べて収容する収容部が備えられているものもある。
【００６８】
また、旅行用小物類品として、筒状部材で軸方向にスリットが形成され、鞄類の把手（持ち手）にスリットを開いて嵌めることで、持ち手を纏めたり、すべり止めの役割を持たせたりし、荷物の持ちやすさや荷物の持ち運びの確実性を向上させるためのグリップに適用される。
【００６９】
また、旅行用小物類品として、名札等を納める透明の収容部及び荷物に取り付けられる固定部が備えられ、固定部を介して名札等を荷物に取り付ける荷物用のタグに適用される。
【００７０】
また、旅行用小物類品として、旅行用に携行する小物類が収容される収容袋を備え、ファスナー等で開口部の開閉が可能で、持ち手が取り付けられたポーチに適用される。
【００７１】
その他、旅行用小物類品として、旅行に携行する装飾品や遊戯具、飲食品、薬類、チケット等を収容する各種ケースや袋類に適用される。
【００７２】
樹脂部品１（図１、図２の何れか、もしくは、部位によって併用）が適用される電子応用機械用品の例を説明する。
【００７３】
電子応用機械として、インターネットと連動し、パソコンの機能をベースとして作られた多機能携帯電話・ＰＨＳであるスマートフォンに適用される。電子応用機械用品としては、スマートフォン用のカバーやスマートフォンの本体に適用される。
【００７４】
また、電子応用機械として、物理的な記録媒体やネットワーク上に保存されている辞書・辞典の内容をコンピュータによって検索・表示する機器であり、例えば、ディスプレイが開閉自在に備えられ、ディスプレイの対向面にテンキーが備えられた携帯用の電子辞書に適用される。電子応用機械用品としては、電子辞書のカバーや、電子辞書の本体に適用される。
【００７５】
また、電子応用機械として、コンパクトデジタルカメラや一眼レフのデジタルカメラ（デジタルカメラ）に適用される。電子応用機械用品としては、デジタルカメラのカバーや、デジタルカメラの本体に適用される。
【００７６】
また、電子応用機械として、表側に操作ボタンが備えられると共に、裏側にボールが備えられ、机上等で裏側のボールを転動させて移動させることで、移動方向、移動速度などの情報をコンピュータに入力させるマウスに適用される。電子応用機械用品として、マウスのカバーや、マウスの本体に適用される。
【００７７】
また、電子応用機械用品として、タブレット端末やハードディスクのカバーや本体に適用することができる。また、電子メモ帳や電子名詞ホルダーのカバーや本体に適用することができる。
【産業上の利用可能性】
【００７８】
本発明は、樹脂基材と縫い目部位が独立して形成された樹脂部品を二色成形により成形し、縫い目を有する革を模擬した状態の文具品用の樹脂成形品の産業分野で利用することができる。
【００７９】
本発明は、樹脂基材と縫い目部位が独立して形成された樹脂部品を二色成形により成形し、縫い目を有する革を模擬した状態の旅行用小物類品用の樹脂成形品の産業分野で利用することができる。
【００８０】
本発明は、樹脂基材と縫い目部位が独立して形成された樹脂部品を二色成形により成形し、縫い目を有する革を模擬した状態の電子応用機械用品用の樹脂成形品の産業分野で利用することができる。
【符号の説明】
【００８１】
１  樹脂部品
２  基材部位
３  縫い目部位
４  糸目部
５  糸目
６  インステッチ
８  沈み面
１１  用紙部位
１２、２３  表紙
１３、２４  裏表紙
１４  手帳用外装品
１５  ノートカバー
１６  外装カバー
２１  ファイル
２２  背表紙
２６  フォトスタンド
【図１】
2013237195.tif 000003
【図２】
2013237195.tif 000004
【図３】
2013237195.tif 000005
【図４】
2013237195.tif 000006
【図５】
2013237195.tif 000007
【図６】
2013237195.tif 000008